(57)【要約】      （修正有）【課題】灼熱の直射日光で高温度加熱キープされ難い構造の、ビルディング工場やホール公共施設や一般住宅の省エネ外壁を提供する。【解決手段】シェルビンスキーのギャスケットを活用した三角錐三面体の省エネ外壁。周辺エリア大気温度上昇を軽減し、必然的に室内温度は低下して、エアコン室外機からのＣＯ２排出量を削減する。【選択図】図１
0003184375.tif 000002
【実用新案登録請求の範囲】
【請求項１】
三角錐三面体に、シェルビンスキ‐のギャスケット状に空気流通可能空間部と空気流通不能遮断部を配置してなる省エネ外壁。
【請求項２】
請求項１の省エネ外壁を既存の外壁上部に設置してなる省エ外壁。
【考案の詳細な説明】
【技術分野】
【０００１】  本考案の外壁は灼熱の直射日光で高温度加熱キ‐プされる既存の外壁とは異なって高温度加熱キ‐プされ難い通風性に優れた遮光遮熱の、省エネ外壁の構造に係わる。
【背景技術】
【０００２】  ビルデング工場やホ‐ル公共施設や一般住宅ｅｔｃの既存の外壁は灼熱の直射日光で高温度加熱キ‐プされて、そのキ‐プされた高温度加熱は外気大気中に放出放散されます。よってビルデング工場やホ‐ル公共施設や一般住宅ｅｔｃ周辺エリアの外気大気温度を上昇させます。そのメカニズムはヒ‐トアイランドの主要因になっています。ヒ‐トアイランドを抑制セ‐ブして高温度加熱キ‐プされ難い構造の、省エネ外壁が希求される。
【先行技術文献】
【特許文献１】実願番号２０１１−０００９９０
【考案の概要】
【考案が解決しようとする課題】
【０００３】  灼熱の直射日光で高温度加熱キ‐プされ難い構造の、ビルディング工場やホ‐ル公共施設や一般住宅ｅｔｃの省エネ外壁。
【課題を解決するための手段】
【０００４】  三角錐三面体の外壁に空気流通可能部をシェルビンスキ‐のギャスケット状に配置して灼熱の直射日光で高温度加熱キ‐プされ難い構造の、三角錐三面体省エネ外壁。
【考案の効果】
【０００５】  無数の木の葉が立体的に重なり合って、灼熱の直射日光を分散遮断し、遮光遮熱効果や放射熱抑制効果や通風性に優れた木蔭構造に類似形の、フラクタル図形の一種のシェルビンスキ‐のギャスケット。三角錐三面体にシェルビンスキ‐のギャスケット状に配置してなる省エネ外壁。灼熱の直射日光で高温度加熱キ‐プされ難い省エネ外壁をビルディング工場やホ‐ル公共施設や一般住宅ｅｔｃの外壁に活用して外壁から放出放散される高温度加熱放射熱をセ‐ブする。よってビルディング工場やホ‐ル公共施設や一般住宅ｅｔｃ周辺エリアの外気大気温度上昇をセ‐ブする。必然的にビルディング工場やホ‐ル公共施設や一般住宅ｅｔｃの室内温度は低下してエアコンのハ‐ドなオペレ‐ションもセ‐ブされてエアン室外機からのＣＯ２排出量もセ‐ブされます。ヒ‐トアランド環境負荷をセ‐ブして節電、省エネに貢献します。行政のバックアップでビルディング工場やホ‐ル公共施設や一般住宅ｅｔｃ町全体の外壁を省エネ外壁にしてスマ‐トハウス＆スマ‐トシティ‐＆グリ‐ンイノベ‐ションの一助一環となるでしょう。長期的な耐用年数を熟慮すると、その費用対効果メリットは大きい。
【図面の簡単な説明】
【０００６】
【図１】図４のシェルビンスキ‐のギャスケット図形を省略して、既存の外壁と既存の外壁上部に設置した三角錐三面体省エネ外壁の側面図。省エネ外壁は既存の外壁と三角錐三面体省エネ外壁が一対セットで完成品。
【図２】図４のシェルビンスキ‐のギャスケット図形を省略した三角錐三面体省エネ外壁の平面図。
【図３】既存の外壁と、既存の外壁上部に設置された三角錐三面体省エネ外壁の底面で既存の外壁の三角形底面図。
【図４】シェルビンスキ‐のギャスケット図形。白色部は三角錐三面体省エネ外壁の空気流通可能空間部で、黒色部は三角錐三面体省エネ外壁の空気流通不能遮断部。
【符号の説明】
【０００７】１・・・・・・三角錐三面体省エネ外壁の底辺
２・・・・・・三角錐三面体省エネ外壁の線分
３・・・・・・三角錐三面体省エネ外壁の線分の、合致頂点
４・・・・・・三角錐三面体省エネ外壁底部の、既存の外壁
５・・・・・・既存の外壁上部の三角錐三面体省エネ外壁と、底部の既存の外壁との間の              空気流通可能空間部
６・・・・・・三角錐三面体省エネ外壁上部と、既存の外壁底部の接合部位
７・・・・・・三角錐三面体省エネ外壁と既存の外壁が一対セットの、既存の外壁三角形              底面図
８・・・・・・三角錐三面体省エネ外壁の空気流通可能空間部
９・・・・・・三角錐三面体省エネ外壁の空気流通不能遮断部
【図１】
0003184375.tif 000003
【図２】
0003184375.tif 000004
【図３】
0003184375.tif 000005
【図４】
0003184375.tif 000006
【手続補正書】
【提出日】平成25年3月27日(2013.3.27)
【手続補正１】
【補正対象書類名】明細書
【補正対象項目名】０００４
【補正方法】変更
【補正の内容】
【０００４】  三角錐四面体の外壁に空気流通可能空間部をシェルビンスキ‐のギャスケット状に配置して、灼熱の直射日光で高温度加熱キ‐プされ難い構造の、三角錐四面体省エネ外壁。
【手続補正２】
【補正対象書類名】明細書
【補正対象項目名】０００５
【補正方法】変更
【補正の内容】
【０００５】  無数の木の葉が立体的に重なり合って、灼熱の直射日光を分散遮断し、遮光遮熱効果や放射熱抑制効果や通風性に優れた木蔭構造に類似形の、フラクタル図形の一種のシェルビンスキ‐のギャスケット。三角錐四面体にシェルビンスキ‐のギャスケット状に空気流通可能空間部を配置してなる省エネ外壁。灼熱の直射日光で高温度加熱キ‐プされ難い省エネ外壁をビルディング工場やホ‐ル公共施設や一般住宅ｅｔｃの外壁に活用して外壁から放出放散される高温度加熱放射熱をセ‐ブする。よってビルディング工場やホ‐ル公共施設や一般住宅ｅｔｃ周辺エリアの外気大気温度上昇をセ‐ブする。必然的にビルディング工場やホ‐ル公共施設や一般住宅ｅｔｃの室内温度は低下してエアコンのハ‐ドなオペレ‐ションもセ‐ブされてエアコン室外機からのＣＯ２排出量もセ‐ブされます。ヒ‐トアイランド環境負荷をセ‐ブして節電、省エネに貢献します。行政のバックアップでビルディング工場やホ‐ル公共施設や一般住宅ｅｔｃ町全体の外壁を省エネ外壁にしてスマ‐トハウス＆スマ‐トシティ‐＆グリ‐ンイノベ‐ションの一助一環となるでしょう。省エネ外壁の長期的な耐用年数を熟慮すると、その費用対効果メリットは大きい。
【手続補正３】
【補正対象書類名】明細書
【補正対象項目名】０００６
【補正方法】変更
【補正の内容】
【０００６】
【図１】図４のシェルビンスキ‐のギャスケット図形を省略して、既存の外壁と既存の外壁上部に設置した三角錐四面体省エネ外壁の側面図。省エネ外壁は既存の外壁と三角錐四面体省エネ外壁が一対セットで完成品。
【図２】図４のシェルビンスキ‐のギャスケット図形を省略した三角錐四面体省エネ外壁平面図。
【図３】既存の外壁と、既存の外壁上部に設置された三角錐四面体省エネ外壁の底面で、既存の外壁の三角形底面図。
【図４】シェルビンスキ‐のギャスケット図形。白色部は三角錐四面体省エネ外壁の空気流通可能空間部で、黒色部は三角錐四面体省エネ外壁の空気流通不能遮断部。
【手続補正４】
【補正対象書類名】明細書
【補正対象項目名】０００７
【補正方法】変更
【補正の内容】
【０００７】１・・・・・三角錐四面体省エネ外壁の底辺
２・・・・・三角錐四面体省エネ外壁の線分
３・・・・・三角錐四面体省エネ外壁の線分の、合致頂点
４・・・・・三角錐四面体省エネ外壁底部の、既存の外壁
５・・・・・既存の外壁上部の三角錐四面体省エネ外壁と、底部の既存の外壁との間の空            気流通可能空間部
６・・・・・三角錐四面体省エネ外壁上部と、既存の外壁底部の、接合部位
７・・・・・三角錐四面体省エネ外壁と、既存の外壁が一対セットの、既存の外壁三角形            底面図
８・・・・・三角錐四面体省エネ外壁の空気流通可能空間部
９・・・・・三角錐四面体省エネ外壁の空気流通不能遮断部
【手続補正５】
【補正対象書類名】実用新案登録請求の範囲
【補正対象項目名】全文
【補正方法】変更
【補正の内容】
【実用新案登録請求の範囲】
【請求項１】
三角錐を構成する４つの面のうち、壁に対向する面を除いた３つの面のそれぞれに、シェルビンスキ‐のギャスケット状に空気流通不能遮断部を配置することによって空気流通可能空間部を構成した省エネ外壁。
【請求項２】
請求項１の省エネ外壁を既存の外壁上部に設置してなる省エネ外壁。
【手続補正６】
【補正対象書類名】図面
【補正対象項目名】図１
【補正方法】変更
【補正の内容】
【図１】
0003184375.tif 000007